(57)【要約】【課題】撮像装置の温度の影響を回避しつつ、撮像の機会を確保することを目的とする。【解決手段】本発明の撮像装置は、通信装置と通信可能な撮像装置であって、撮像指示を受付ける受付手段と、受付手段により受付けられた撮像指示が、撮像装置の操作部を介して受付けられた撮像指示であって、撮像装置の温度が第１閾値を超えている場合、撮像を行わないよう制御し、受付手段により受付けられた撮像指示が、通信装置からの撮像指示である場合、撮像装置の温度が第１閾値を超えている場合であっても撮像を行うよう制御する制御手段と、を有する。【選択図】図６
2019004390.tif 000002
【特許請求の範囲】
【請求項１】
通信装置と通信可能な撮像装置であって、
撮像指示を受付ける受付手段と、
前記受付手段により受付けられた撮像指示が、前記撮像装置の操作部を介して受付けられた撮像指示であって、前記撮像装置の温度が第１閾値を超えている場合、撮像を行わないよう制御し、
前記受付手段により受付けられた撮像指示が、前記通信装置からの撮像指示である場合、前記撮像装置の温度が前記第１閾値を超えている場合であっても撮像を行うよう制御する制御手段と、
を有する撮像装置。
【請求項２】
前記制御手段は、前記受付手段により受付けられた撮像指示が前記通信装置からの撮像指示であっても、前記撮像装置の温度が前記第１閾値より高い第２閾値を超えているときは、撮像を行わないよう制御する請求項１記載の撮像装置。
【請求項３】
前記制御手段は、前記受付手段により受付けられた撮像指示が前記通信装置からの撮像指示であっても、前記撮像装置の温度が前記第１閾値より高い第２閾値を超えているときは、前記撮像装置の温度が前記第２閾値を超えていることを示す通知を前記通信装置に送信し、前記通知の送信後、設定された時間内に前記通信装置から撮像指示を受信したとき、撮像を行うよう制御する請求項１又は２記載の撮像装置。
【請求項４】
前記撮像装置が触れられているか否かを検知する検知手段を更に有し、
前記制御手段は、前記受付手段により受付けられた撮像指示が前記通信装置からの撮像指示であっても、前記検知手段により前記撮像装置が触れられていると検知されたときは、撮像を行わないよう制御する請求項１乃至３何れか１項記載の撮像装置。
【請求項５】
通信装置と通信可能な撮像装置であって、
撮像指示を受付ける受付手段と、
前記受付手段により撮像指示が受付けられ、かつ、前記撮像装置の温度が第１閾値を超えているとき、設定されている撮像パラメータよりも撮像時に前記撮像装置の温度上昇率が低くなる撮像パラメータに変更して撮像を行うよう制御する制御手段と、
を有する撮像装置。
【請求項６】
前記制御手段は、前記受付手段により撮像指示が受付けられ、かつ、前記撮像装置の温度が前記第１閾値を超えているとき、撮像時の解像度を表す撮像パラメータを、設定されている撮像パラメータに対応する解像度より低い解像度に対応する撮像パラメータに変更して撮像を行うよう制御する請求項５記載の撮像装置。
【請求項７】
前記制御手段は、
前記受付手段により前記撮像装置の操作部を介して撮像指示が受付けられ、かつ、前記撮像装置の温度が前記第１閾値を超えているとき、撮像パラメータを変更して撮像するか否かを選択できる選択画面を表示部に表示するよう制御し、
前記選択画面において撮像パラメータを変更して撮像する変更指示を前記撮像装置の操作部を介して受付けた場合、撮像パラメータを変更するよう制御する請求項５又は６記載の撮像装置。
【請求項８】
前記制御手段は、
前記受付手段により前記通信装置を介した撮像指示が受付けられ、かつ、前記撮像装置の温度が前記第１閾値を超えているとき、前記撮像装置の温度が前記第１閾値を超えていることを示す通知を前記通信装置に送信し、
前記通知の送信後、設定された時間内に撮像パラメータを変更して撮像する変更指示を前記通信装置から受信したとき、撮像パラメータを変更して撮像を行うよう制御する請求項５乃至７何れか１項記載の撮像装置。
【請求項９】
前記通知には、複数の撮像パラメータが含まれ、
前記制御手段は、前記通知の送信後、設定された時間内に撮像パラメータを変更して撮像する変更指示、及び、撮像パラメータを前記通信装置から受信したとき、設定されている撮像パラメータを受信した撮像パラメータに変更して撮像を行うよう制御する請求項８記載の撮像装置。
【請求項１０】
前記撮像装置の温度が前記第１閾値を超えているとき、前記撮像装置の温度が前記第１閾値以下のときと比べて、長い間隔でライブビュー画像を生成して前記通信装置に送信するライブビュー制御手段を更に有する請求項１乃至９何れか１項記載の撮像装置。
【請求項１１】
前記制御手段が行う撮像の制御は、動画撮像の制御である請求項１乃至１０何れか１項記載の撮像装置。
【請求項１２】
前記制御手段は、前記通信装置との通信接続を行っておらず、かつ、前記受付手段により前記撮像装置の操作部からの撮像指示が受付けられたとき、前記撮像装置に温度によらずに撮像を行うよう制御する請求項１乃至１１何れか１項記載の撮像装置。
【請求項１３】
前記制御手段は、撮像を行わないよう制御したとき、撮像を行わなかったことを示す通知を前記通信装置に送信する請求項１乃至１２何れか１項記載の撮像装置。
【請求項１４】
前記制御手段は、撮像を行わないよう制御したとき、前記通信装置との通信を切断する請求項１乃至１３何れか１項記載の撮像装置。
【請求項１５】
撮像装置と通信可能な通信装置であって、
前記通信装置の操作部に対する操作に基づいて、撮像指示を前記撮像装置に送信する第１送信手段と、
前記撮像装置から前記撮像装置の温度が閾値を超えていることを示す通知を受信したとき、前記撮像装置の撮像パラメータを変更して撮像を行うか否かを選択できる選択画面の表示を行うよう制御する表示制御手段と、
前記選択画面において撮像パラメータを変更して撮像する指示を前記通信装置の操作部を介して受付けた場合、撮像パラメータを変更して撮像する変更指示を前記撮像装置に送信する第２送信手段と、
を有する通信装置。
【請求項１６】
前記表示制御手段は、前記撮像装置から撮像パラメータを受信したとき、前記撮像装置から受信した撮像パラメータを前記選択画面に表示を行うよう制御をし、
前記第２送信手段は、前記選択画面において撮像パラメータを変更して撮像する指示を前記通信装置の操作部を介して受付けた場合、撮像パラメータを変更して撮像する変更指示を、前記選択画面で選択された撮像パラメータと共に前記撮像装置に送信する請求項１５記載の通信装置。
【請求項１７】
前記表示制御手段は、前記第１送信手段による撮像指示の送信後、設定された時間内に、撮像を行わなかったことを示す通知を前記撮像装置から受信したとき、撮像を行わなかった旨の情報を含む画面の表示を行うよう制御する請求項１５又は１６記載の通信装置。
【請求項１８】
通信装置と通信可能な撮像装置の制御方法であって、
撮像指示を受付ける受付ステップと、
前記受付ステップにより受付けられた撮像指示が、前記撮像装置の操作部を介して受付けられた撮像指示であって、前記撮像装置の温度が第１閾値を超えている場合、撮像を行わないよう制御する第１制御ステップと、
前記受付ステップにより受付けられた撮像指示が、前記通信装置からの撮像指示である場合、前記撮像装置の温度が前記第１閾値を超えている場合であっても撮像を行うよう制御する第２制御ステップと、
を有する撮像装置の制御方法。
【請求項１９】
通信装置と通信可能な撮像装置の制御方法であって、
撮像指示を受付ける受付ステップと、
前記受付ステップにより撮像指示が受付けられ、かつ、前記撮像装置の温度が第１閾値を超えているとき、設定されている撮像パラメータよりも撮像時に前記撮像装置の温度上昇率が低くなる撮像パラメータに変更して撮像を行うよう制御する制御ステップと、
を有する撮像装置の制御方法。
【請求項２０】
撮像装置と通信可能な通信装置の制御方法であって、
前記通信装置の操作部に対する操作に基づいて、撮像指示を前記撮像装置に送信する第１送信ステップと、
前記撮像装置から前記撮像装置の温度が閾値を超えていることを示す通知を受信したとき、前記撮像装置の撮像パラメータを変更して撮像を行うか否かを選択できる選択画面の表示を行うよう制御する表示制御ステップと、
前記選択画面において撮像パラメータを変更して撮像する指示を前記撮像装置の操作部を介して受付けた場合、撮像パラメータを変更して撮像する変更指示を前記通信装置に送信する第２送信ステップと、
を有する通信装置の制御方法。
【請求項２１】
コンピュータを、請求項１乃至１４何れか１項記載の撮像装置の各手段として機能させるためのプログラム。
【請求項２２】
コンピュータを、請求項１５乃至１７何れか１項記載の通信装置の各手段として機能させるためのプログラム。
【発明の詳細な説明】
【技術分野】
【０００１】
本発明は、撮像装置、通信装置、制御方法、及び、プログラムに関する。
【背景技術】
【０００２】
デジタルカメラ等の撮像装置に無線通信機能を搭載し、スマートデバイス等の通信装置と撮像装置とを接続して、通信装置から撮像装置に指示を行うことで、撮像装置を制御する機能が知られている（特許文献１）。この機能を用いることで、通信装置を介して、撮像装置から撮像する制御が可能となる。
また、撮像装置の温度を検出し、検出した温度において装置の使用不可が判定された場合、その旨をユーザに報知するとともに装置の動作を停止する技術が知られている（特許文献２）。
【先行技術文献】
【特許文献】
【０００３】
【特許文献１】特開２００３−１４３２６１号公報
【特許文献２】特開平８−３５８８９号公報
【発明の概要】
【発明が解決しようとする課題】
【０００４】
しかしながら、特許文献１に記載の機能では、撮像装置は撮像と通信を同時に実施するため、撮像装置の内部温度が上昇すると、画像にノイズが入ったり、基板の各素子の動作に影響を与えて故障の原因になったりするおそれがある。
また、特許文献２に記載の技術では、温度を検出して装置の動作を停止するのみであるため、一律に撮像できなくなる。
【０００５】
本発明は、撮像装置の温度の影響を回避しつつ、撮像の機会を確保することを目的とする。
【課題を解決するための手段】
【０００６】
本発明の撮像装置は、通信装置と通信可能な撮像装置であって、撮像指示を受付ける受付手段と、前記受付手段により受付けられた撮像指示が、前記撮像装置の操作部を介して受付けられた撮像指示であって、前記撮像装置の温度が第１閾値を超えている場合、撮像を行わないよう制御し、前記受付手段により受付けられた撮像指示が、前記通信装置からの撮像指示である場合、前記撮像装置の温度が前記第１閾値を超えている場合であっても撮像を行うよう制御する制御手段と、を有する。
また、本発明の撮像装置は、通信装置と通信可能な撮像装置であって、撮像指示を受付ける受付手段と、前記受付手段により撮像指示が受付けられ、かつ、前記撮像装置の温度が第１閾値を超えているとき、設定されている撮像パラメータよりも撮像時に前記撮像装置の温度上昇率が低くなる撮像パラメータに変更して撮像を行うよう制御する制御手段と、を有する。
【発明の効果】
【０００７】
本発明によれば、撮像装置の温度の影響を回避しつつ、撮像の機会を確保できる。
【図面の簡単な説明】
【０００８】
【図１】撮像システムのユースケースの例を示す図である。
【図２】デジタルカメラの構成の一例を示す図である。
【図３】スマートデバイスの構成の一例を示す図である。
【図４】第１実施形態の動作の一例を示すシーケンス図である。
【図５】第１実施形態のスマートデバイスの画面の一例を示す図である。
【図６】第１実施形態のデジタルカメラの処理の一例を示すフローチャートである。
【図７】第２実施形態の動作の一例を示すシーケンス図である。
【図８】第２実施形態のスマートデバイスの画面の一例を示す図である。
【図９】第２実施形態のデジタルカメラの処理の一例を示すフローチャートである。
【発明を実施するための形態】
【０００９】
以下に、本発明を実施するための形態について、添付の図面を用いて詳細に説明する。
［第１実施形態］
＜ユースケース＞
図１（ａ）、（ｂ）は、デジタルカメラ２００とスマートデバイス３００とを含む撮像システムのユースケースの例を示す。図１（ａ）は、デジタルカメラ２００とスマートデバイス３００とが通信していて、デジタルカメラ２００で撮像した画像をスマートデバイス３００に転送する場合のユースケースを示している。撮像者となるユーザ１０１と被写体１０２とはそれぞれ別人物である。ユーザ１０１はデジタルカメラ２００を操作し、被写体１０２を撮像する。
【００１０】
それに対し、図１（ｂ）は、デジタルカメラ２００とスマートデバイス３００とが通信中に遠隔撮像を行う場合のユースケースを示している。ユーザ１５１は被写体であると同時に撮像者でもある。ユーザ１５１自身がリモコン装置として機能するスマートデバイス３００を操作することで撮像する。つまり、ユーザ１５１はデジタルカメラ２００とスマートデバイス３００とを無線接続し、スマートデバイス３００からデジタルカメラ２００を遠隔操作する。ユーザ１５１は、スマートデバイス３００の表示画面を見て、自身がフレーム内に収まっていることを確認した後、スマートデバイス３００からデジタルカメラ２００へ撮像を指示する。
【００１１】
＜デジタルカメラの構成＞
図２は、通信装置と通信可能な撮像装置の一例であるデジタルカメラ２００の構成例を示す図である。ここでは撮像装置の一例としてデジタルカメラ２００について述べるが、撮像装置はこれに限られない。例えば撮像装置はスマートフォン、携帯型のメディアプレーヤ、いわゆるタブレットデバイス、パーソナルコンピュータ等の情報処理装置であってもよい。
制御部２０１は、入力された信号や、後述のプログラムに従ってデジタルカメラ２００の各部を制御する。制御部２０１が装置全体を制御する代わりに、複数のハードウェアが処理を分担することで、装置全体を制御してもよい。制御部２０１が不揮発性メモリ２０３に格納されたプログラムを作業用メモリ２０４に展開して実行することで、図４や図６のデジタルカメラ２００の処理が実現する。
【００１２】
撮像部２０２は、例えば、光学レンズユニットと、絞り・ズーム・フォーカス等制御する光学系と、光学レンズユニットを経て導入された光（映像）を電気的な映像信号に変換するための撮像素子等で構成される。撮像素子としては、一般的には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）が利用される。撮像部２０２は、制御部２０１に制御されることにより、撮像部２０２に含まれるレンズで結像された被写体光を、撮像素子により電気信号に変換し、ノイズ低減処理等を行い、デジタルデータを画像データとして出力する。デジタルカメラ２００の制御部２０１は、画像データを符号化し、ＤＣＦ（Ｄｅｓｉｇｎ  Ｒｕｌｅ  ｆｏｒ  Ｃａｍｅｒａ  Ｆｉｌｅ  ｓｙｓｔｅｍ）の規格に従って、記録媒体２１０に記録する。
【００１３】
不揮発性メモリ２０３は、電気的に消去・記録可能な不揮発性のメモリであり、制御部２０１で実行されるプログラム等が格納される。
作業用メモリ２０４は、撮像部２０２で撮像された画像データを一時的に保持するバッファメモリや、表示部２０６の画像表示用メモリ、制御部２０１の作業領域等として使用される。
操作部２０５は、ユーザがデジタルカメラ２００に対して行う指示をユーザから受付けるために用いられる。操作部２０５は、例えば、ユーザがデジタルカメラ２００の電源のＯＮ／ＯＦＦを指示するための電源ボタンや、撮像を指示するためのレリーズスイッチ、画像データの再生を指示するための再生ボタンを含む。さらに、操作部２０５は、後述の接続部２１１を介して外部機器との通信を開始するための専用の接続ボタン等の操作部材を含む。また、後述する表示部２０６に形成されるタッチパネルも操作部２０５に含まれる。レリーズスイッチは、第１スイッチＳＷ１及び第２スイッチＳＷ２を有する。レリーズスイッチが、いわゆる半押し状態となることにより、第１スイッチＳＷ１がＯＮとなる。これにより、制御部２０１は、ＡＦ（オートフォーカス）処理、ＡＥ（自動露出）処理、ＡＷＢ（オートホワイトバランス）処理、ＥＦ（フラッシュプリ発光）処理等の撮像準備を行うための指示を受付ける。また、レリーズスイッチが、いわゆる全押し状態となることにより、第２スイッチＳＷ２がＯＮとなる。これにより、制御部２０１は、撮像を行うための指示を受付ける。
【００１４】
表示部２０６は、撮像の際のビューファインダー画像の表示、撮像した画像データの表示、対話的な操作のための文字表示等を行う。表示部２０６は必ずしもデジタルカメラ２００が内蔵する必要はない。デジタルカメラ２００は、内部又は外部の表示部２０６と接続することができ、表示部２０６の表示を制御する表示制御機能を少なくとも有していればよい。
記録媒体２１０は、撮像部２０２から出力された画像データを記録することができる。記録媒体２１０は、デジタルカメラ２００に着脱可能なよう構成してもよいし、デジタルカメラ２００に内蔵されていてもよい。すなわち、デジタルカメラ２００は少なくとも記録媒体２１０にアクセスする手段を有していればよい。
【００１５】
接続部２１１は、外部装置と接続するためのインターフェースである。本実施形態のデジタルカメラ２００は、接続部２１１を介して、外部装置とデータのやりとりを行うことができる。例えば、撮像部２０２で生成した画像データを、接続部２１１を介して外部装置に送信することができる。本実施形態では、接続部２１１は外部装置とＩＥＥＥ８０２．１１の規格に従った、いわゆる無線ＬＡＮで通信するためのインターフェースを含む。制御部２０１は、接続部２１１を制御することで外部装置との無線通信を実現する。通信方式は無線ＬＡＮに限定されるものではなく、例えば赤外通信方式も含む。
【００１６】
第１実施形態におけるデジタルカメラ２００の接続部２１１は、インフラストラクチャモードにおけるアクセスポイントとして動作するＡＰモードと、インフラストラクチャモードにおけるクライアントとして動作するＣＬモードとで動作する。そして、接続部２１１をＣＬモードで動作させることにより、本実施形態におけるデジタルカメラ２００は、インフラストラクチャモードにおけるＣＬ機器として動作することが可能である。デジタルカメラ２００がＣＬ機器として動作する場合、周辺のＡＰ機器に接続することで、ＡＰ機器が形成するネットワークに参加することが可能である。また、接続部２１１をＡＰモードで動作させることにより、デジタルカメラ２００は、ＡＰの一種ではあるが、より機能が限定された簡易的なＡＰ（以下、簡易ＡＰという）として動作することも可能である。デジタルカメラ２００が簡易ＡＰとして動作すると、デジタルカメラ２００は自身でネットワークを形成する。デジタルカメラ２００の周辺の装置は、デジタルカメラ２００をＡＰ機器と認識し、デジタルカメラ２００が形成したネットワークに参加することが可能となる。上記のようにデジタルカメラ２００を動作させるためのプログラムは不揮発性メモリ２０３に保持されているものとする。デジタルカメラ２００はＡＰの一種であるものの、ＣＬ機器から受信したデータをインターネットプロバイダ等に転送するゲートウェイ機能は有していない簡易ＡＰである。したがって、自機が形成したネットワークに参加している他の装置からデータを受信しても、それをインターネット等のネットワークに転送することはできない。
【００１７】
近距離無線通信部２１２は、例えば無線通信のためのアンテナと無線信号を処理するため変復調回路や通信コントローラから構成される。近距離無線通信部２１２は、変調した無線信号をアンテナから出力し、またアンテナで受信した無線信号を復調することによりＩＥＥＥ８０２．１５の規格（いわゆるＢｌｕｅｔｏｏｔｈ（登録商標））に従った近距離無線通信を実現する。第１実施形態においてＢｌｕｅｔｏｏｔｈ通信は、低消費電力であるＢｌｕｅｔｏｏｔｈ  Ｌｏｗ  Ｅｎｅｒｇｙのバージョン４．０を採用する。このＢｌｕｅｔｏｏｔｈ通信は、無線ＬＡＮ通信と比べて通信可能な範囲が狭い（つまり、通信可能な距離が短い）。また、Ｂｌｕｅｔｏｏｔｈ通信は、無線ＬＡＮ通信と比べて通信速度が遅い。その一方で、Ｂｌｕｅｔｏｏｔｈ通信は、無線ＬＡＮ通信と比べて消費電力が少ない。デジタルカメラ２００は、近距離無線通信部２１２を介して、外部装置とデータのやりとりを行うことができる。制御部２０１は、例えば外部装置から撮像の命令を受信した場合は撮像部２０２を制御し、撮像動作を行い、無線ＬＡＮ通信によるデータの授受を行うための命令を受信した場合は接続部２１１を制御し、無線ＬＡＮ通信を開始する。
【００１８】
近接無線通信部２１３は、例えば無線通信のためのアンテナと無線信号を処理するため変復調回路や通信コントローラから構成される。近接無線通信部２１３は、変調した無線信号をアンテナから出力する。そして、近接無線通信部２１３は、アンテナで受信した無線信号を復調することでＩＳＯ／ＩＥＣ  １８０９２の規格（いわゆるＮＦＣ：Ｎｅａｒ  Ｆｉｅｌｄ  Ｃｏｍｍｕｎｉｃａｔｉｏｎ）に従った非接触近接通信を実現する。第１実施形態の近接無線通信部２１３は、デジタルカメラ２００の側部に配される。
【００１９】
スマートデバイス３００は、外部装置と、互いの近接無線通信部２１３を近接させることにより通信を開始して接続する。近接無線通信部２１３を用いて接続する場合、必ずしも近接無線通信部２１３同士を接触させる必要はない。近接無線通信部２１３は一定の距離だけ離れていても通信することができるため、互いの装置を接続するためには、近接無線通信可能な範囲まで近づければよい。以下の説明では、この近接無線通信可能な範囲まで近づけることを、近接させる、とも記載する。
【００２０】
互いの近接無線通信部２１３が近接無線通信不可能な範囲にあれば、通信は開始されない。また、互いの近接無線通信部２１３が近接無線通信可能な範囲にあって、デジタルカメラ２００同士が通信接続されている際に、互いの近接無線通信部２１３が近接無線通信不可能な範囲に離れてしまった場合は、通信接続が解除される。近接無線通信部２１３が実現する非接触近接通信はＮＦＣに限られるものではなく、他の無線通信を採用してもよい。例えば、近接無線通信部２１３が実現する非接触近接通信として、ＩＳＯ／ＩＥＣ  １４４４３の規格に従った非接触近接通信を採用してもよい。
【００２１】
第１実施形態では、接続部２１１により実現される通信の通信速度は、近接無線通信部２１３により実現される通信の通信速度よりも速い。また、接続部２１１により実現される通信は、近接無線通信部２１３による通信よりも、通信可能な範囲が広い。その代わり、近接無線通信部２１３による通信では、通信可能な範囲の狭さにより通信相手を限定することができるため、接続部２１１により実現される通信で必要な暗号鍵の交換等の処理を必要としない。すなわち、接続部２１１を用いるよりも手軽に通信することができる。
温度センサ２１４は、デジタルカメラ２００の温度を計測し、制御部２０１に通知する。
【００２２】
＜スマートデバイスの構成＞
次に、スマートデバイス３００について説明する。図３は、スマートデバイス３００の構成例を示す図である。ここでは通信装置の一例としてスマートデバイスについて述べるが、通信装置はこれに限られない。例えば通信装置は、無線機能付きのデジタルカメラ、タブレットデバイス、又は、パーソナルコンピュータ等であってもよい。
【００２３】
制御部３０１は、入力された信号や、後述のプログラムに従ってスマートデバイス３００の各部を制御する。制御部３０１が装置全体を制御する代わりに、複数のハードウェアが処理を分担することで、装置全体を制御してもよい。制御部３０１が不揮発性メモリ３０３に格納されたプログラムを作業用メモリ３０４に展開して実行することで、図４のスマートデバイス３００の処理が実現される。
撮像部３０２は、撮像部３０２に含まれるレンズで結像された被写体光を電気信号に変換し、ノイズ低減処理等を行い、デジタルデータを画像データとして出力する。撮像した画像データはバッファメモリに蓄えられた後、制御部３０１にて所定の演算を行い、記録媒体３１０に記録される。
【００２４】
不揮発性メモリ３０３は、電気的に消去・記録可能な不揮発性のメモリである。不揮発性メモリ３０３には、制御部３０１が実行する基本的なソフトウェアであるＯＳ（オペレーティングシステム）や、このＯＳと協働して応用的な機能を実現するアプリケーションが記録されている。また、本実施形態では、不揮発性メモリ３０３には、デジタルカメラ２００と通信するためのアプリケーション（以下、アプリという）が格納されている。
作業用メモリ３０４は、表示部３０６の画像表示用メモリや、制御部３０１の作業領域等として使用される。
【００２５】
操作部３０５は、スマートデバイス３００に対する指示をユーザから受付けるために用いられる。操作部３０５は、例えば、ユーザがスマートデバイス３００の電源のＯＮ／ＯＦＦを指示するための電源ボタンや、表示部３０６に形成されるタッチパネル等の操作部材を含む。
表示部３０６は、画像データの表示、対話的な操作のための文字表示等を行う。表示部３０６は必ずしもスマートデバイス３００が備える必要はない。スマートデバイス３００は表示部３０６と接続することができ、表示部３０６の表示を制御する表示制御機能を少なくとも有していればよい。
記録媒体３１０は、撮像部３０２から出力された画像データを記録することができる。記録媒体３１０は、スマートデバイス３００に着脱可能なよう構成してもよいし、スマートデバイス３００に内蔵されていてもよい。すなわち、スマートデバイス３００は少なくとも記録媒体３１０にアクセスする手段を有していればよい。
【００２６】
接続部３１１は、外部装置と接続するためのインターフェースである。スマートデバイス３００は、接続部３１１を介して、デジタルカメラ２００とデータのやりとりを行うことができる。第１実施形態では、接続部３１１はアンテナであり、制御部３０１は、アンテナを介して、デジタルカメラ２００と接続することができる。デジタルカメラ２００との接続では、直接接続してもよいしアクセスポイントを介して接続してもよい。データを通信するためのプロトコルとしては、例えば無線ＬＡＮを通じたＰＴＰ／ＩＰ（Ｐｉｃｔｕｒｅ  Ｔｒａｎｓｆｅｒ  Ｐｒｏｔｏｃｏｌ  ｏｖｅｒ  Ｉｎｔｅｒｎｅｔ  Ｐｒｏｔｏｃｏｌ）を用いることができる。デジタルカメラ２００との通信はこれに限られるものではない。例えば、接続部３１１は、赤外線通信モジュール、ＷｉｒｅｌｅｓｓＵＳＢ等の無線通信モジュールを含むことができる。さらには、ＵＳＢケーブルやＨＤＭＩ（登録商標）、ＩＥＥＥ１３９４等、有線接続を採用してもよい。
【００２７】
公衆網接続部３１３は、公衆無線通信を行う際に用いられるインターフェースである。スマートデバイス３００は、公衆網接続部３１３を介して、他の機器と通話することができる。この際、制御部３０１はマイク３１４及びスピーカ３１５を介して音声信号の入力と出力を行うことで、通話を実現する。第１実施形態では、公衆網接続部３１３はアンテナであり、制御部３０１は、アンテナを介して、公衆網に接続することができる。接続部３１１及び公衆網接続部３１３は、一つのアンテナで兼用することも可能である。
【００２８】
近距離無線通信部３１６は、例えば無線通信のためのアンテナと無線信号を処理するため変復調回路や通信コントローラから構成される。近距離無線通信部３１６は、変調した無線信号をアンテナから出力し、またアンテナで受信した無線信号を復調することによりＩＥＥＥ８０２．１５の規格（いわゆるＢｌｕｅｔｏｏｔｈ）に従った近距離無線通信を実現する。第１実施形態においてＢｌｕｅｔｏｏｔｈ通信は、低消費電力であるＢｌｕｅｔｏｏｔｈ  Ｌｏｗ  Ｅｎｅｒｇｙのバージョン４．０（ＢＬＥ）を採用する。このＢｌｕｅｔｏｏｔｈ通信は、無線ＬＡＮ通信と比べて通信可能な範囲が狭い（つまり、通信可能な距離が短い）。また、Ｂｌｕｅｔｏｏｔｈ通信は、無線ＬＡＮ通信と比べて通信速度が遅い。その一方で、Ｂｌｕｅｔｏｏｔｈ通信は、無線ＬＡＮ通信と比べて消費電力が少ない。
【００２９】
近接無線通信部３１７は、他機との非接触近接通信を実現するための通信ユニットである。近接無線通信部３１７は、無線通信のためのアンテナと無線信号を処理するための変復調回路や通信コントローラから構成される。近接無線通信部３１７は、変調した無線信号をアンテナから出力し、またアンテナで受信した無線信号を復調することにより非接触近接通信を実現する。ここでは、ＩＳＯ／ＩＥＣ  １８０９２の規格（いわゆるＮＦＣ）に従った非接触通信を実現する。近接無線通信部３１７は、他のデバイスからデータ読み出し要求を受けると、不揮発性メモリ３０３に格納されているデータに基づき、応答データを出力する。第１実施形態では、スマートデバイス３００は、近接無線通信部３１７を通じて、ＮＦＣの規格で定義されているカードリーダモード、カードライタモード及びＰ２Ｐモードで動作し、主にＩｎｉｔｉａｔｏｒとしてふるまう。対して、デジタルカメラ２００は近接無線通信部２１３を介して、主にＴａｒｇｅｔとしてふるまう。
【００３０】
ユーザがデジタルカメラ２００の操作部２０５を操作することで、デジタルカメラ２００は接続部２１１を介してスマートデバイス３００と接続してもよい。また、デジタルカメラ２００は近距離無線通信部２１２を介してスマートデバイス３００と接続してもよい。また、デジタルカメラ２００は、近接無線通信部２１３を介してスマートデバイス３００の近接無線通信部３１７と近接させることにより接続してもよく、近接無線通信部２１３を介して接続する場合には、ユーザは操作部２０５を操作する必要はない。
【００３１】
＜撮像時のシーケンス＞
第１実施形態における撮像時のシーケンスを図４（ａ）、（ｂ）、及び、図５を利用して説明する。デジタルカメラ２００とスマートデバイス３００との接続方法に関しては、前述しているため割愛する。
デジタルカメラ２００の不揮発性メモリ３０３には、二種類の温度の閾値が記録されている。第１閾値は、ユーザがデジタルカメラ２００を操作して撮像する際に、温度センサ２１４が検出した温度がその閾値を超えていれば、撮像を行わない温度である。第２閾値は、操作方法によらず、温度センサ２１４が検出した温度がその閾値を超えていれば、撮像を行わない温度である。第１閾値よりも、第２閾値のほうが高い温度である。
【００３２】
図４（ａ）、（ｂ）は、温度センサ２１４が検出した温度が第１閾値を超えているが、第２閾値を超えていない場合のシーケンスを示す図である。
図４（ａ）は、ユーザがデジタルカメラ２００を操作して撮像を行う際のシーケンスを示す図である。図４（ａ）のシーケンスは、図１（ａ）のように、ユーザ１０１がデジタルカメラ２００を操作し、被写体１０２を撮像するユースケースを示している。この際、ユーザ１０１がデジタルカメラ２００を保持しているため、ユーザ１０１がデジタルカメラ２００を保持していない状態よりもデジタルカメラ２００の放熱効果は低下している状態である。
【００３３】
Ｓ４０１において、ユーザ１０１がデジタルカメラ２００を操作して、撮像指示の操作を行う。デジタルカメラ２００の制御部２０１は、操作部２０５を介して、この操作を検知する。
Ｓ４０２において、デジタルカメラ２００の制御部２０１は、温度センサ２１４にて検出した温度が第１閾値を超えているか否かを判定する。図４（ａ）のシーケンスでは、温度センサ２１４が検出した温度が第１閾値を超えている。このため、Ｓ４０３において、デジタルカメラ２００の制御部２０１は、撮像を行わない制御をする。
Ｓ４０４において、デジタルカメラ２００の制御部２０１は、撮像しなかったことを表示部２０６に表示する。
【００３４】
図４（ｂ）は、スマートデバイス３００からの指示によりデジタルカメラ２００にて撮像を行う際のシーケンス図である。スマートデバイス３００の表示画面の一例を示した図５を用いてこのシーケンスを説明する。図４（ｂ）のシーケンスは、図１（ｂ）のようにユーザ１５１がリモコン装置として機能するスマートデバイス３００を操作することで撮像するユースケースを示している。この際、ユーザ１５１はデジタルカメラ２００を保持していないため、ユーザ１５１がデジタルカメラ２００を保持している場合と比べて、デジタルカメラ２００の放熱効果は低下していない状態である。
【００３５】
図４（ｂ）のＳ４１１に先立って、スマートデバイス３００の制御部３０１は、図５に示すような画面を表示部３０６に表示する。図５の画面において、ライブビュー表示画面５０１は、スマートデバイス３００がデジタルカメラ２００から受信したライブビュー画像を表示する領域である。スマートデバイス３００がライブビュー表示画面５０１を表示することで、ユーザ１５１に被写体の画角調整を促すことができる。釦５０２は、ユーザがデジタルカメラ２００に撮像を指示するためのボタンである。
【００３６】
Ｓ４１１において、ユーザがスマートデバイス３００を操作して、図５の釦５０２を押下すると、スマートデバイス３００の制御部３０１は、操作部３０５を介して、この操作を検知する。そして、制御部３０１は、撮像指示をデジタルカメラ２００に送信する。デジタルカメラ２００の制御部２０１は、スマートデバイス３００から撮像指示を受信する。
Ｓ４１２において、デジタルカメラ２００の制御部２０１は、温度センサ２１４によって検出された温度が第１閾値を超えているか否かを判定する。図４（ｂ）のシーケンスでは、温度センサ２１４が検出した温度が第１閾値を超えている。
Ｓ４１３において、デジタルカメラ２００の制御部２０１は、温度センサ２１４によって検出された温度が第１閾値を超えている場合であっても、撮像を行う。
Ｓ４１４において、デジタルカメラ２００の制御部２０１は、撮像したことを表す通知をスマートデバイス３００に送信する。
【００３７】
このようにして、第１実施形態では、図４（ｂ）のように、ユーザがデジタルカメラ２００を保持しておらず、放熱効果が低下していない場合には、第１閾値を超えていても撮像を行う。一方、ユーザがデジタルカメラ２００を保持しており、放熱効果が低下している場合には、第１閾値を超えていれば、撮像を行わない。これにより、放熱効果が低下していない環境において、デジタルカメラ２００の温度センサ２１４が検出する温度が第１閾値を超えていても撮像が可能となる。ただし、デジタルカメラ２００は、温度センサ２１４が検出した温度が第２閾値を超えている場合には、撮像を指示する方法によらず、撮像を行わない。
【００３８】
＜デジタルカメラの処理＞
次に、デジタルカメラ２００の処理について、図６を参照して説明する。
Ｓ６０１において、デジタルカメラ２００の制御部２０１は、接続部２１１を介して、スマートデバイス３００と接続したか否かを判定する。制御部２０１は、スマートデバイス３００と接続していると判定したとき処理をＳ６０２に進め、接続していないと判定したとき再度Ｓ６０１を実行する。
【００３９】
Ｓ６０２において、制御部２０１は、撮像指示を受付けたか否かを判定する。制御部２０１は、撮像指示を受付けたと判定したとき処理をＳ６０３に進め、撮像指示を受付けていないと判定したとき処理をＳ６０７に進める。Ｓ６０２は、撮像指示を受付ける受付処理の一例である。
Ｓ６０３において、制御部２０１は、デジタルカメラ２００の操作部２０５から撮像指示を受付けたか、接続部２１１を介してスマートデバイス３００から撮像指示を受信したかを判定する。制御部２０１は、デジタルカメラ２００の操作部２０５から撮像指示を受付けたと判定した場合には処理をＳ６０４に進め、スマートデバイス３００から撮像指示を受信したと判定した場合には、処理をＳ６０５に進める。
【００４０】
処理がＳ６０４に進んだ場合、制御部２０１は操作部２０５から撮像指示を受付けている。このため、ユーザの手がデジタルカメラ２００の筺体の表面を覆っており、ユーザ１０１がデジタルカメラ２００を保持していない状態よりもデジタルカメラ２００の放熱効果が低下していると考えられる。
Ｓ６０４において、制御部２０１は、温度センサ２１４によって検出されたデジタルカメラ２００の温度が不揮発性メモリ２０３に記録された第１閾値を超えているか否かを判定する。制御部２０１は、温度センサ２１４によって検出された温度が第１閾値を超えていないと判定したとき処理をＳ６０６に進める。制御部２０１は、温度センサ２１４によって検出された温度が第１閾値を超えていると判定したとき、撮像処理を行わずに、処理をＳ６０７に進める。制御部２０１は、温度センサ２１４によって検出された温度が第１閾値を超えていると判定したとき、表示部２０６に、撮像を行わなかったことを表示する制御を行ってもよい。Ｓ６０４において、制御部２０１が、温度センサ２１４によって検出された温度が第１閾値を超えていると判定したとき、撮像処理を行わずに処理をＳ６０７に進める処理は、次の処理の一例である。すなわち、撮像指示が、デジタルカメラ２００の操作部２０５を介して受付けられた撮像指示であって、デジタルカメラ２００の温度が第１閾値を超えている場合、撮像を行わないよう制御する処理の一例である。
【００４１】
Ｓ６０５において、制御部２０１は、温度センサ２１４によって検出されたデジタルカメラ２００の温度が不揮発性メモリ２０３に記録された第２閾値を超えているか否かを判定する。制御部２０１は、温度センサ２１４によって検出された温度が第２閾値を超えていないと判定したとき処理をＳ６０６に進める。制御部２０１は、温度センサ２１４によって検出された温度が第２閾値を超えていると判定したとき、撮像処理を行わずに、処理をＳ６０７に進める。Ｓ６０５の処理は、撮像指示がスマートデバイス３００からの撮像指示であっても、デジタルカメラ２００の温度が第１閾値より高い第２閾値を超えているときは、撮像を行わないよう制御する処理の一例である。
Ｓ６０６において、制御部２０１は、撮像処理を行い、デジタルカメラ２００での撮像が実行される。制御部２０１は、Ｓ６０２で受付けた撮像指示に基づいて、動画撮像、及び、静止画撮像の少なくともいずれかを行う。
Ｓ６０３の後にＳ６０４が行われずにＳ６０６が行われる処理は、撮像指示が、スマートデバイス３００からの撮像指示である場合、デジタルカメラ２００の温度が第１閾値を超えている場合であっても撮像を行うよう制御する処理の一例である。
Ｓ６０７において、制御部２０１は、接続部２１１を介して、スマートデバイス３００との接続が切断された否かを判定する。制御部２０１は、スマートデバイス３００との接続が切断されたと判定したとき図６の処理を終了し、接続が切断されていないと判定したときは処理をＳ６０２に戻して撮像指示を待つ。
【００４２】
以上説明したように、デジタルカメラ２００の制御部２０１は、ユーザが操作部２０５を操作することで撮像指示を受付け、かつ、デジタルカメラ２００の温度が第１閾値を超えているとき、撮像しない。これは、ユーザがデジタルカメラ２００を保持しており、ユーザがデジタルカメラ２００を保持していない状態より、デジタルカメラ２００の放熱効果が低下していると考えられるためである。一方、デジタルカメラ２００の制御部２０１は、スマートデバイス３００から撮像指示を受付けたときはデジタルカメラ２００の温度が第１閾値を超えていても、撮像する。これは、ユーザがデジタルカメラ２００を保持しておらず、デジタルカメラ２００の放熱効果が低下していないと考えられるためである。このように、デジタルカメラ２００の温度が第１閾値を超えていても、デジタルカメラ２００の放熱効果が低下していないと考えられるとき、デジタルカメラ２００は撮像を行う。したがって、デジタルカメラ２００の温度の影響を回避しつつ、撮像の機会を確保できる。
【００４３】
また、デジタルカメラ２００の制御部２０１は、スマートデバイス３００から撮像指示を受付けた場合であっても、デジタルカメラ２００の温度が第２閾値を超えているときは、撮像しない。したがって、デジタルカメラ２００が撮像する画像にノイズが入ったり、基板の各素子の動作に影響を与えて故障の原因になったりするおそれを回避できる。
【００４４】
図６のＳ６０５において、温度センサ２１４によって検出された温度が第２閾値を超えているとき、デジタルカメラ２００の制御部２０１は、次の処理を行ってもよい。すなわち、制御部２０１は、デジタルカメラ２００の温度が高くて撮像できないことを示す第２閾値超え通知をスマートデバイス３００に送信する。スマートデバイス３００の制御部３０１は、第２閾値超え通知を受信し、撮像を行うか否かを選択できる選択画面を表示部３０６に表示する制御を行う。選択画面には、デジタルカメラ２００から手を放すように依頼するメッセージを表示してもよい。そして、制御部３０１は、選択画面でのユーザの操作に基づいて、撮像指示をデジタルカメラ２００に送信する。デジタルカメラ２００の制御部２０１は、第２閾値超え通知の送信後、設定された時間内にスマートデバイス３００から撮像指示を受信したとき、撮像処理を行う。これにより、ユーザは撮像の機会を確保できる。スマートデバイス３００が表示する選択画面でのユーザの操作によらずに、デジタルカメラ２００はライブビュー画像のスマートデバイス３００への送信を継続し、スマートデバイス３００はライブビュー表示画面５０１の更新を継続してもよい。
第２閾値超え通知は、デジタルカメラ２００の温度が第２閾値を超えていることを示す通知の一例である。第２閾値超え通知の送信処理は、撮像指示がスマートデバイス３００からのものであっても、デジタルカメラ２００の温度が第２閾値を超えているときは、第２閾値超え通知をデジタルカメラ２００に送信する処理の一例である。
【００４５】
また、デジタルカメラ２００は、ユーザがデジタルカメラ２００に触れているか否かを検知するセンサである検知部を備えていてもよい。デジタルカメラ２００の制御部２０１は、スマートデバイス３００から撮像指示を受信したときは、検知部によってユーザがデジタルカメラ２００に触れていないと検知された場合に、撮像処理を行う。また、デジタルカメラ２００の制御部２０１は、スマートデバイス３００から撮像指示を受信したときでも、検知部によってユーザがデジタルカメラ２００に触れていると検知された場合には、撮像処理を行わない。これにより、制御部２０１は、ユーザがデジタルカメラ２００に触れておらず、デジタルカメラ２００の放熱効果が低下してないときに撮像を行うことになり、デジタルカメラ２００の温度の影響を回避しつつ、撮像の機会を確保できる。
また、デジタルカメラ２００の制御部２０１は、スマートデバイス３００から撮像指示を受信したときは、検知部によってユーザがデジタルカメラ２００に触れていないと検知され、温度センサの温度が第２閾値を超えていない場合に撮像処理を行ってもよい。
【００４６】
［第２実施形態］
次に、第２実施形態について説明する。第１実施形態と同様の点は同符号を用いて説明を省略する。
第２実施形態のデジタルカメラ２００は、温度センサ２１４の検出温度が第１閾値を超えていた場合に、撮像パラメータを変更して撮像する。デジタルカメラ２００は、撮像パラメータによって、温度の上昇率が異なる。例えば、高解像度の動画を撮像する場合、低解像度の動画を撮像する場合と比べて、温度の上昇率が高くなる。第２実施形態のデジタルカメラ２００は、温度センサの検出温度が第１閾値を超えていた際に、温度の上昇率を低くするために、温度の上昇率が低い撮像パラメータに変更して撮像を行う。第２実施形態で変更する撮像パラメータの例が、動画を撮像するときの解像度である。
【００４７】
＜撮像時のシーケンス＞
第２実施形態における撮像時のシーケンスを図７及び図８を利用して説明する。
図７（ａ）は、第２実施形態において、デジタルカメラ２００を操作して撮像を行う際のシーケンスを示す図である。図７（ａ）のシーケンスは、図１（ａ）のような、ユーザ１０１がデジタルカメラ２００を操作し、被写体１０２を撮像するユースケースを示している。この際、ユーザ１０１がデジタルカメラ２００を保持しているため、ユーザ１０１がデジタルカメラ２００を保持していない状態と比べて、デジタルカメラ２００の放熱効果は低下している状態である。
【００４８】
Ｓ７０１において、ユーザ１０１がデジタルカメラ２００を操作して、撮像指示の操作を行う。デジタルカメラ２００の制御部２０１は、操作部２０５を介して、この操作を検知する。
Ｓ７０２において、デジタルカメラ２００の制御部２０１は、温度センサ２１４にて検出した温度が第１閾値を超えているか否かを判定する。温度センサ２１４が検出した温度が第１閾値を超えていないと判定したとき、制御部２０１は撮像処理を行う。温度センサ２１４が検出した温度が第１閾値を超えていると判定したとき、Ｓ７０３において、制御部２０１は、表示部２０６に、撮像パラメータを変更して撮像を行うか否かを選択できる撮像パラメータ変更画面を表示する。図７（ａ）のシーケンスでは、温度センサ２１４が検出した温度が第１閾値を超えているものとする。
【００４９】
Ｓ７０４にて、ユーザ１０１がデジタルカメラ２００を操作して撮像パラメータを変更して撮像を行う撮像パラメータ変更指示を行う。デジタルカメラ２００の制御部２０１は、操作部２０５を介して、撮像パラメータ変更指示を受付ける。撮像パラメータ変更指示は、変更指示の一例である。
Ｓ７０５において、デジタルカメラ２００の制御部２０１は、設定されていた撮像パラメータを変更して、撮像処理を行う。ユーザが撮像パラメータ変更指示をしなければ、制御部２０１は撮像処理を行わない。
Ｓ７０６において、デジタルカメラ２００の制御部２０１は、表示部２０６に、撮像した場合には撮像したことを表示し、撮像しなかった場合には撮像しなかったことを表示する。
【００５０】
図７（ｂ）は、第２実施形態において、スマートデバイス３００からの指示によりデジタルカメラ２００にて撮像を行う際のシーケンスを示す図である。スマートデバイス３００の表示画面の一例を示した図８を用いて図７（ｂ）のシーケンスを説明する。図７（ｂ）のシーケンスは、図１（ｂ）のようなユーザ１５１がリモコン装置として機能するスマートデバイス３００を操作することで撮像するユースケースを示している。この際、ユーザ１５１はデジタルカメラ２００を保持していないため、ユーザ１５１がデジタルカメラ２００を保持している状態と比べて、デジタルカメラ２００の放熱効果は低下していない状態である。
【００５１】
図７（ｂ）のＳ７１１に先立って、スマートデバイス３００の制御部３０１は、図８（ａ）に示すような画面を表示部３０６に表示する。図８（ａ）のライブビュー表示画面８０１、及び、釦８０２は、それぞれ、図５のライブビュー表示画面５０１、及び、釦５０２と同様であるため説明を省略する。
【００５２】
Ｓ７１１において、ユーザがスマートデバイス３００を操作して、図８の釦８０２を押下すると、スマートデバイス３００の制御部３０１は、操作部３０５を介して、この操作を検知する。そして、制御部３０１は、撮像指示をデジタルカメラ２００に送信する。デジタルカメラ２００の制御部２０１は、スマートデバイス３００から撮像指示を受信する。Ｓ７１１は、スマートデバイス３００の操作部３０５に対する操作に基づいて、撮像指示をデジタルカメラ２００に送信する第１送信処理の一例である。
Ｓ７１２において、デジタルカメラ２００の制御部２０１は、温度センサ２１４によって検出された温度が第１閾値を超えているか否かを判定する。温度センサ２１４によって検出された温度が第１閾値を超えていると判定した場合、制御部２０１は、Ｓ７１３において、スマートデバイス３００に温度が第１閾値を超えている旨を示す温度閾値超え通知を送信する。スマートデバイス３００の制御部３０１は、温度閾値超え通知を受信する。温度センサ２１４が検出した温度が第１閾値を超えていないと判定したとき、制御部２０１は撮像を行う。図７（ｂ）のシーケンスでは、温度センサ２１４が検出した温度が第１閾値を超えているものとする。
【００５３】
Ｓ７１４において、スマートデバイス３００の制御部３０１は、図８（ｂ）に示すような撮像パラメータ変更画面８０３を表示部３０６に表示する。撮像パラメータ変更画面８０３は、撮像パラメータを変更して撮像を行うか否かを選択できる画面である。釦８０４は、ユーザが撮像パラメータを変更して撮像を行う撮像パラメータ変更指示をするためのボタンである。釦８０５は、ユーザが撮像を行わない指示をするためのボタンである。ユーザは、撮像パラメータ変更画面８０３で、撮像パラメータを変更して撮像を行うか否かを選択できる。撮像パラメータ変更画面８０３は、スマートデバイス３００の選択画面の一例である。Ｓ７１４は、デジタルカメラ２００から温度閾値超え通知を受信したとき、撮像パラメータ変更画面の表示を行うよう制御する表示制御処理の一例である。
ユーザが釦８０４を選択すると、スマートデバイス３００の制御部３０１は、操作部３０５を介して、撮像パラメータ変更指示を受付ける。そして、Ｓ７１５において、制御部３０１は、デジタルカメラ２００に撮像パラメータ変更指示を送信する。Ｓ７１５は、撮像パラメータ変更画面８０３において撮像パラメータを変更して撮像する指示を、操作部３０５を介して受付けた場合、撮像パラメータ変更指示をデジタルカメラ２００に送信する第２送信処理の一例である。
【００５４】
ユーザが釦８０５を選択すると、スマートデバイス３００の制御部３０１は、操作部３０５を介して、この操作を検知する。そして、制御部３０１は、デジタルカメラ２００に撮像パラメータ変更指示を送信しない。
デジタルカメラ２００の制御部２０１は、スマートデバイス３００から撮像パラメータ変更指示を受信すると、Ｓ７１６において温度の上昇率が低い撮像パラメータに変更して撮像処理を行う。そして、Ｓ７１７において、デジタルカメラ２００の制御部２０１は、撮像を行った旨をスマートデバイス３００に送信する。
【００５５】
＜デジタルカメラの処理＞
以下、第２実施形態におけるデジタルカメラ２００の処理について、図９を参照して説明する。
Ｓ９０１において、デジタルカメラ２００の制御部２０１は、接続部２１１を介して、スマートデバイス３００と接続したか否かを判定する。制御部２０１は、スマートデバイス３００と接続していると判定したとき処理をＳ９０２に進め、接続してしないと判定したとき再度Ｓ９０１を実行する。
【００５６】
Ｓ９０２において、制御部２０１は、撮像指示を受付けたか否かを判定する。制御部２０１は、撮像指示を受付けたと判定したとき処理をＳ９０３に進め、撮像指示を受付けていないと判定したとき処理をＳ９１０に進める。Ｓ９０２は、撮像指示を受付ける受付処理の一例である。
Ｓ９０３において、制御部２０１は、温度センサ２１４によって検出されたデジタルカメラ２００の温度が不揮発性メモリ２０３に記録された第１閾値を超えているか否かを判定する。制御部２０１は、温度センサ２１４によって検出された温度が第１閾値を超えていると判定したとき処理をＳ９０４に進める。制御部２０１は、温度センサ２１４によって検出された温度が第１閾値を超えていないと判定したとき、処理をＳ９０９に進める。
Ｓ９０４において、制御部２０１は、デジタルカメラ２００の操作部２０５から撮像指示を受付けたか、接続部２１１を介してスマートデバイス３００から撮像指示を受信したかを判定する。制御部２０１は、デジタルカメラ２００の操作部２０５から撮像指示を受付けたと判定した場合には処理をＳ９０５に進め、スマートデバイス３００から撮像指示を受信したと判定した場合には、処理をＳ９０６に進める。
【００５７】
Ｓ９０５において、制御部２０１は、表示部２０６に温度上昇率の低い撮像パラメータ含み、撮像パラメータを変更して撮像するか否かを選択できる撮像パラメータ変更画面を表示部２０６に表示するよう制御する。表示部２０６に表示される撮像パラメータは、デジタルカメラ２００に現在設定されている撮像パラメータよりも撮像時にデジタルカメラ２００の温度上昇率が低くなる撮像パラメータである。そして、表示部２０６に表示される撮像パラメータは、デジタルカメラ２００の温度の影響を抑えて撮像できる撮像パラメータである。Ｓ９０５で表示部２０６に表示される画面は、デジタルカメラ２００に表示される選択画面の一例である。Ｓ９０５は、デジタルカメラ２００の操作部２０５を介して撮像指示が受付けられ、デジタルカメラ２００の温度が第１閾値を超えているとき、撮像パラメータを変更して撮像するか否かを選択できる選択画面を表示部に表示するよう制御する処理の一例である。
Ｓ９０６において、制御部２０１は、接続部２１１を介して、現在の撮像パラメータでは撮像できない旨の温度閾値超え通知をスマートデバイス３００に送信する。温度閾値超え通知は、デジタルカメラ２００の温度が第１閾値を超えていることを示す。Ｓ９０６は、スマートデバイス３００を介した撮像指示が受付けられ、かつ、デジタルカメラ２００の温度が第１閾値を超えているとき、温度閾値超え通知をデジタルカメラ２００に送信する処理の一例である。
【００５８】
Ｓ９０７において、制御部２０１は、デジタルカメラ２００の操作部２０５から、又は、接続部２１１を介してスマートデバイス３００から、撮像パラメータを変更して撮像を行う撮像パラメータ変更指示を受付けたか否かを判定する。制御部２０１は、撮像パラメータ変更指示を受付けたと判定したとき処理をＳ９０８に進め、撮像パラメータ変更指示を受付けていないと判定したとき処理をＳ９１０に進める。制御部２０１は、スマートデバイス３００から撮像指示を受信しているとき、Ｓ９０７において、設定された時間内に接続部２１１を介してスマートデバイス３００から、撮像パラメータ変更指示を受付けたか否かを判定する。
Ｓ９０８においては、制御部２０１は、デジタルカメラ２００の温度を上昇させないために、現在設定されている撮像パラメータより温度上昇率の低い撮像パラメータに変更する。例えば、制御部２０１は、撮像時の解像度を表す撮像パラメータを、現在設定されている解像度よりも低い解像度を表す撮像パラメータに設定を変更する。Ｓ９０５、Ｓ９０７、Ｓ９０８の順に行われる処理は、次の処理の一例である。すなわち、Ｓ９０５で表示される画面において撮像パラメータを変更して撮像する変更指示をデジタルカメラ２００の操作部を介して受付けた場合、撮像パラメータを変更するよう制御する処理の一例である。
【００５９】
Ｓ９０９において、制御部２０１は、撮像処理を行う。制御部２０１は、Ｓ９０２で受付けた撮像指示に基づいて、動画撮像、及び、静止画撮像の少なくともいずれかを行う。Ｓ９０９では、制御部２０１は、Ｓ９０８で撮像パラメータを変更したときは、撮像処理後に、もとの撮像パラメータに戻してもよい。Ｓ９０３からＳ９０９に遷移したときは、制御部２０１は、撮像パラメータを変更せずに撮像処理を行う。
Ｓ９０８、Ｓ９０９の順に行われる処理は、デジタルカメラ２００の温度が第１閾値を超えているとき、撮像パラメータを変更して撮像を行うよう制御する処理の一例である。このとき、デジタルカメラ２００に設定されている撮像パラメータよりも撮像時にデジタルカメラ２００の温度上昇率が低くなる撮像パラメータに変更される。例えば、撮像時の解像度を表す撮像パラメータが、設定されている撮像パラメータに対応する解像度より低い解像度に対応する撮像パラメータに変更される。
Ｓ９０６の後に行わるＳ９０８、Ｓ９０９は、温度閾値超え通知の送信後、設定された時間内に撮像パラメータを変更して撮像する撮像指示をスマートデバイス３００から受信したとき、撮像パラメータを変更して撮像を行うよう制御する処理の一例である。
Ｓ９１０において、制御部２０１は、接続部２１１を介して、スマートデバイス３００との接続が切断された否かを判定する。制御部２０１は、スマートデバイス３００との接続が切断されたと判定したとき図９の処理を終了し、接続が切断されていないと判定したときは処理をＳ９０２に戻す。
【００６０】
以上説明したように、デジタルカメラ２００の制御部２０１は、撮像指示が受付けられ、かつ、デジタルカメラ２００の温度が第１閾値を超えているとき、次の処理を行う。すなわち、制御部２０１は、設定されている撮像パラメータよりもデジタルカメラ２００の温度上昇率の低い撮像パラメータに変更して撮像する。したがって、デジタルカメラ２００が撮像を開始しても、デジタルカメラ２００の温度上昇が抑制される。よって、デジタルカメラ２００の温度の影響を回避しつつ、撮像の機会を確保できる。
また、デジタルカメラ２００の制御部２０１は、デジタルカメラ２００の温度が第１閾値を超えているとき、ユーザによる操作部２０５又はデジタルカメラ２００を介した撮像指示を受付けたときに、撮像パラメータに変更して撮像する。したがって、ユーザが意図せずに撮像パラメータが変更されることを回避できる。
【００６１】
第２実施形態では、撮像パラメータ変更指示が行われなかった場合、デジタルカメラ２００の制御部２０１は、スマートデバイス３００からの撮像指示を待つが、これに限る必要はない。例えば、制御部２０１は、撮像パラメータ変更指示が行われなかった場合、デジタルカメラ２００の温度を低下させるために、スマートデバイス３００との通信接続を切断してもよく、デジタルカメラ２００をパワーオフしてもよい。
【００６２】
また、第２実施形態では、撮像パラメータをデジタルカメラ２００の判定で変更していたが、これに限る必要はない。例えば、次のような処理を行ってもよい。
すなわち、まず、制御部２０１は、Ｓ９０６において、温度閾値超え通知に、現在設定されている撮像パラメータよりも撮像時の温度上昇率の低い複数の撮像パラメータを含めて、スマートデバイス３００に送信する。
スマートデバイス３００の制御部３０１は、デジタルカメラ２００から複数の撮像パラメータを含んだ温度閾値超え通知を受信したとき、受信した撮像パラメータを撮像パラメータ変更画面８０３に表示する制御を行う。そして、スマートデバイス３００の制御部３０１は、撮像パラメータ変更画面８０３において撮像パラメータ変更指示を、操作部３０５を介して受付けた場合、次の処理を行う。すなわち、制御部３０１は、撮像パラメータ変更指示を、撮像パラメータ変更画面８０３で選択された撮像パラメータと共にデジタルカメラ２００に送信する。
デジタルカメラ２００の制御部２０１は、温度閾値超え通知の送信後、設定された時間内に撮像パラメータ変更指示、及び、撮像パラメータを受信したとき、設定されている撮像パラメータを受信した撮像パラメータに変更して撮像する。
また、制御部２０１は、Ｓ９０５において、現在設定されている撮像パラメータよりも撮像時の温度上昇率の低い複数の撮像パラメータをデジタルカメラ２００の表示部２０６に表示し、Ｓ９０８において、ユーザが選択した撮像パラメータに変更してもよい。
【００６３】
［その他の実施形態］
第１実施形態、及び、第２実施形態では、スマートデバイス３００は、図５のライブビュー表示画面５０１や図８のライブビュー表示画面８０１に表示するためのライブビュー画像を、接続部３１１を介して、デジタルカメラ２００から取得する。しかし、温度センサ２１４がデジタルカメラ２００の温度が第１閾値を超えているとき、デジタルカメラ２００の制御部２０１は、ライブビュー画像の生成間隔や送信間隔を、デジタルカメラ２００の温度が第１閾値以下のときと比べて長くしてもよい。これにより、デジタルカメラ２００の温度の上昇が抑制される。デジタルカメラ２００の温度が第１閾値を超えているとき、デジタルカメラ２００の温度が第１閾値以下のときと比べて、長い間隔でライブビュー画像を生成してスマートデバイス３００に送信する処理は、ライブビュー制御処理の一例である。
【００６４】
また、第１実施形態、及び、第２実施形態では、デジタルカメラ２００の撮像モードによらず温度センサ２１４の検出した温度に基づいて撮像処理を制御しているが、これに限る必要はない。例えば、デジタルカメラ２００の制御部２０１は、動画撮像時のみ、温度センサ２１４において検出した温度に基づいて撮像処理を制御してもよい。
また、デジタルカメラ２００の制御部２０１は、スマートデバイス３００から撮像指示を受信したとき、温度センサ２１４が検出する温度によらず、撮像前にスマートデバイス３００へ、撮像指示を受信したことを示す指示受信通知を送信してもよい。スマートデバイス３００の制御部３０１は、デジタルカメラ２００から指示受信通知を受信したとき、デジタルカメラ２００の放熱効果を上げるために、表示部３０６に指示画面を表示してもよい。指示画面は、デジタルカメラ２００から手を放すように依頼する情報を含み、撮像指示を選択可能な指示画面である。スマートデバイス３００の制御部３０１は、指示画面でのユーザの操作に基づいて、デジタルカメラ２００に撮像指示を送信する。デジタルカメラ２００の制御部２０１は、スマートデバイス３００から撮像指示を受信した後は、第１実施形態、及び、第２実施形態と同様の処理を行う。
【００６５】
また、デジタルカメラ２００の制御部２０１は、デジタルカメラ２００がスマートデバイス３００と通信接続していないときは、デジタルカメラ２００の温度によらずに、ユーザの操作に基づいて、撮像してもよい。
また、デジタルカメラ２００の制御部２０１は、デジタルカメラ２００の温度が第３閾値を超えたとき、スマートデバイス３００に通知を送信してもよい。スマートデバイス３００の制御部３０１は、この通知を受信したとき、選択肢を含む画面を表示部３０６に表示する制御を行う。この画面に含まれる選択肢には、例えば、「ライブ画生成を止める」、「転送レートを下げる」、「内部の動作モードを節電モード（ズームをさせない等）にする」、「撮像可能なフレームレートを表示する」が含まれる。制御部３０１は、ユーザの操作に基づいて、選択された項目を表す情報をデジタルカメラ２００に送信する。デジタルカメラ２００の制御部２０１は、受信した情報に対応する処理を実行する。第３閾値として、上記の第１閾値、又は、第２閾値を用いてもよい。このようなデジタルカメラ２００の処理により、デジタルカメラ２００の温度が下がって、撮像が可能になる。
【００６６】
また、デジタルカメラ２００の制御部２０１は、上記の実施形態において撮像しない制御を行ったとき、スマートデバイス３００に、撮像を行わなかったことを示す未撮像通知を送信してもよい。スマートデバイス３００の制御部３０１は、撮像指示の送信後、設定された時間内に、未撮像通知を受信したとき、撮像を行わなかった旨の情報を含む未撮像画面を表示部３０６に表示する制御を行う。未撮像画面は、デジタルカメラ２００との通信切断、又は、デジタルカメラ２００の電源を切ることを促す画面であってもよい。ユーザがデジタルカメラ２００の表示に従った操作をすることで、デジタルカメラ２００の温度が下がって、撮像が可能になる。
また、デジタルカメラ２００の制御部２０１は、上記の実施形態において撮像しない制御を行ったとき、スマートデバイス３００との通信を切断したり、デジタルカメラ２００の電源を切ったりしてもよい。
【００６７】
また、デジタルカメラ２００の制御部２０１は、デジタルカメラ２００の温度が第３閾値を超えたとき、デジタルカメラ２００の温度が第３閾値を超えたことを示す通知をスマートデバイス３００に送信してもよい。また、デジタルカメラ２００の制御部２０１は、デジタルカメラ２００の温度が第３閾値以下になったとき、デジタルカメラ２００の温度が第３閾値以下になったことを示す通知をスマートデバイス３００に送信してもよい。スマートデバイス３００がデジタルカメラ２００からの通知が表す情報を表示することで、ユーザは、デジタルカメラ２００の状態を把握できる。
また、デジタルカメラ２００の制御部２０１は、デジタルカメラ２００の設定や動作等に基づいてデジタルカメラ２００の温度が第３閾値以下になるまでの時間を推定してデジタルカメラ２００に送信してもよい。スマートデバイス３００がこの時間を表示することで、ユーザは、デジタルカメラ２００での撮像が可能になるまでの時間を把握できる。
【００６８】
本発明は、上記の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００６９】
２００  デジタルカメラ、２０１  制御部、３００  スマートデバイス、３０１  制御部
【図１】
2019004390.tif 000003
【図２】
2019004390.tif 000004
【図３】
2019004390.tif 000005
【図４】
2019004390.tif 000006
【図５】
2019004390.tif 000007
【図６】
2019004390.tif 000008
【図７】
2019004390.tif 000009
【図８】
2019004390.tif 000010
【図９】
2019004390.tif 000011